【手続補正書】
【提出日】平成30年6月8日(2018.6.8)
【手続補正１】
【補正対象書類名】特許請求の範囲
【補正対象項目名】全文
【補正方法】変更
【補正の内容】
【特許請求の範囲】
【請求項１】
第１の海底ケーブルの前記端部への選択された接続のために構成された第１のケーブル入口ポート、及び第２のケーブルへの接続のために構成された第２のポートを有する単一ハウジング又はマルチパートハウジングと、
前記第２のポートを介して前記第２のケーブルの第２の信号搬送媒体との通信のために、前記第１のケーブル入口ポートから前記ハウジングの中に伸長する第１の信号搬送媒体と、
前記ハウジングに位置し、前記第１の信号搬送媒体及び前記第２の信号搬送媒体によって搬送される前記信号の１つ以上の所定の性能パラメータを収集し、記憶するために構成されたデータ収集及び通信システムであって、前記システムが前記第１のケーブル入口ポートから伸長する前記信号搬送媒体の少なくともいくつかと通信する第１の入出力ポートと、前記第２のケーブルの前記信号搬送媒体の少なくともいくつかと通信する第２の入出力ポートと、前記第１の入出力ポート及び前記第２の入出力ポートと接続されたマルチプロセッサとを有し、前記マイクロプロセッサが前記信号を検出し、前記信号の所定のパラメータを収集するために構成されたデータ収集モジュールと、前記所定の性能パラメータを記憶するために構成されたデータストレージモジュールと、遠隔監視局に前記記憶された性能パラメータを通信するために構成されたデータ通信モジュールとを備える、データ収集及び通信システムと、
異なる外部環境パラメータ又は内部環境パラメータを監視するためにコネクタハウジングと関連付けられた複数のセンサであって、前記センサが出力を有し、前記データ収集及び通信システムがさらに前記センサ出力と通信し、前記データストレージモジュールに収集されたセンサ出力データを提供する環境データ収集モジュールをさらに備え、前記データ通信モジュールが前記監視局に記憶された環境データを通信するようにさらに構成される、センサと、
を備える、海底コネクタ。
【請求項２】
前記データ通信モジュールが、前記第１のケーブル又は前記第２のケーブルの信号搬送媒体を介して前記監視局に記憶された性能パラメータ及び環境データを通信するために前記ケーブル入出力ポートの少なくとも１つに通信で接続される、請求項１に記載の海底コネクタ。
【請求項３】
前記コネクタハウジングで外部に取り付けられたトランスポンダをさらに備え、前記データ通信モジュールが前記トランスポンダに通信で接続され、局所監視装置からコマンドを受信し、前記局所監視装置に収集されたシステム性能パラメータを送信するために前記コネクタユニットの近傍で前記局所監視装置との無線通信のために構成された第３の入出力ポートを有する、請求項１に記載の海底コネクタ。
【請求項４】
前記センサが、海底温度及び圧力を検出するために前記コネクタハウジングの外部に取り付けられた少なくとも１つの海底温度センサ及び海底圧力センサを備える、請求項１に記載の海底コネクタ。
【請求項５】
前記少なくとも１つ以上の所定の性能パラメータが、電圧、電流、及び光出力から成る群から選択された複数の性能パラメータを備える、請求項１に記載の海底コネクタ。
【請求項６】
前記コネクタハウジングが、前記第１の海底ケーブルの前記端部で結合するプラグユニット又はレセプタクルユニットへの解放自在の接続のために海底結合可能レセプタクルユニット又はプラグユニットを収容する少なくとも第１のハウジング部分と、前記第１のハウジング部分と前記第２のポートとの間で接続された終端シェルとを備え、前記データ取集及び通信モジュールが前記終端シェルに取り付けられる、請求項１に記載の海底コネクタ。
【請求項７】
前記ハウジングが、前記第１の入力を介して前記第１の海底ケーブルの前記端部で結合するプラグユニット又はレセプタクルユニットへの解放自在な接続のために海底結合可能レセプタクルユニット又はプラグユニットを収容する第１のハウジング部分と、前記第１のハウジング部分に接続された終端シェルと、前記終端シェルと前記第２のケーブルとの間で接続された追加の外部シェルとを備え、前記データ収集及び通信モジュールが前記外部シェルに取り付けられる、請求項１に記載の海底コネクタ。
【請求項８】
前記ハウジングが、前記第１のケーブルと前記第２のケーブルの間に少なくとも第１のコネクタハウジング及び第２のコネクタハウジングを有し、前記第２のコネクタハウジングが前記第２のポート、及び外部データ及び通信システムへの接続のために構成された第３のポートを含み、前記データ収集及び通信モジュールが前記第２のコネクタハウジングに取り付けられ、性能パラメータデータ搬送媒体が前記データ通信モジュールから前記第３のポートに伸長し、前記第２の信号搬送媒体が前記データ収集及び通信モジュールの前記第２の入出力ポートから前記第２のコネクタハウジングの前記第２のポートに伸長する、請求項１に記載の海底コネクタ。
【請求項９】
前記第１の信号搬送媒体が１つ以上の導体を備え、前記第２の信号搬送媒体の少なくともいくつかが光ファイバを備え、前記データ収集及び通信システムが前記光ファイバで移動する光信号を、前記導体で移動する電気信号に／から変換するように構成された変換器モジュールをさらに備える、請求項１に記載の海底コネクタ。
【請求項１０】
前記単一ハウジング又はマルチパートハウジングが、少なくとも１つの第１の海底電気コネクタユニット又は電気光学コネクタユニットを備え、前記第１のケーブル入口ポートが、第１のケーブルの一端に接続された第１の入出力を備え、前記第２のポートが、第２のケーブルの一端に接続された第２の入出力を備え、前記ケーブルの少なくとも１つが、海底ケーブル、及び前記第１の入出力と前記第２の入出力の間の１つ以上のハウジングチャンバを備え、前記データ収集及び通信システムが１つのハウジングチャンバ内に取り付けられ、
前記データ収集及び通信システムが、前記第１の信号搬送媒体と前記第２の信号搬送媒体との間で信号を通信するための前記第１の入出力ポートと前記第２の入出力ポートの間の双方向信号通信モジュールを備え、前記データ収集モジュールが、前記信号搬送媒体によって搬送される前記信号から所定のシステム性能データを収集する、請求項１に記載の海底コネクタ。
【請求項１１】
前記第１のケーブルが電気イーサネットケーブルを備え、前記第２のケーブルが光ケーブル又は電気光学ケーブルを備え、前記第１の信号搬送媒体が１つ以上の導体を備え、前記第２の信号搬送媒体が１つ以上の光ファイバを備え、前記第１の入出力ポートが電気入出力ジャンクションを備え、前記第２の入出力ポートが光入出力ジャンクションを備え、前記データ収集及び接続システムが、前記光入出力ジャンクションで受信された光入力信号を前記電気入出力ジャンクションで電気出力信号に変換し、前記電気入出力ジャンクションで受信された電気入力信号を前記光入出力ジャンクションで光出力信号に変換するように構成された変換器モジュールをさらに備え、前記光ケーブル又は電気光学ケーブルが複数の光信号搬送ファイバ及び１本以上の電力搬送電線をもつ前記電気光学ジャンパケーブルを備え、電気イーサネットケーブルが１本以上の電力搬送電線を含み、前記光ケーブル又は電気光学ケーブルの前記電力搬送電線の少なくとも１本が前記双方向信号通信モジュールを介して前記電気ケーブルの対応する電力搬送電線と通信し、それにより電力が、電気光学ケーブルの対向したエンドコネクタに接続された電気ケーブル間で電力を送信するために電気光学ジャンパケーブル全体で送信され、前記データ収集モジュールが前記電力搬送ワイヤから電力ステータスデータを収集するように構成される、請求項１０に記載の海底コネクタ。
【請求項１２】
前記ハウジングが第１のチャンバを収容し、前記第１の入出力ポートを含む第１のハウジング部分、及び第２のチャンバ及び第１のチャンバと第２のチャンバの間の接続通路を収容する第２のハウジング部分を有し、前記データ収集及び通信モジュールが前記第２のチャンバに取り付けられる、請求項１０に記載の海底コネクタ。
【請求項１３】
海底通信及び電力システムの海底相互接続点での性能の遠隔監視のためのデータ収集及び通知方法であって、
第１の海底ケーブルの第１の端部に海底コネクタの第１の入出力を解放自在に接続し、第２のケーブルに前記海底コネクタの第２の入出力を接続することと、
前記第１の海底ケーブルから、前記海底コネクタのデータ収集及び通信システムの１つ以上の第１の信号入出力（Ｉ／Ｏ）ジャンクションに入力信号を通信することと、
前記第２のケーブルから、前記データ収集及び通信システムの１つ以上の第２の信号入出力（Ｉ／Ｏ）ジャンクションに入力信号を通信することと、
前記第２のケーブルへの出力としての通信のために前記データ収集及び通信システムの信号通信モジュールを介して前記第２の信号Ｉ／Ｏジャンクションに、前記第１の信号Ｉ／Ｏジャンクションで受信された前記入力信号を通信することと、
前記第１のケーブルへの出力としての通信のために前記信号通信モジュールを介して前記第１の信号Ｉ／Ｏジャンクションに前記第２の信号Ｉ／Ｏジャンクションで受信された前記入力信号を通信することと、
前記データ収集及び通信システムのデータ収集モジュールに前記第１のＩ／Ｏジャンクション及び前記第２のＩ／Ｏジャンクションで受信された前記入力信号の選択されたパラメータを通信することと、
データストレージモジュールに収集された信号パラメータを通信することと、
異なる外部環境パラメータを監視するために前記海底コネクタと関連付けられた１つ以上の外部環境センサの出力に前記データ収集及び通信システムの追加の入出力ポートを接続し、前記データ収集及び通信システムの環境データ収集モジュールに前記環境センサ出力信号を通信し、前記データストレージモジュールに収集された環境データを記憶することと、
前記海底コネクタとは別個のシステム監視モジュールに周期的に又はオンデマンドで記憶された信号パラメータ及び収集された環境センサデータの両方を送信することと、
を含む、方法。
【請求項１４】
前記システム監視モジュールが陸上監視局を備え、記憶された信号パラメータを送信する前記ステップが、前記第１の海底ケーブルの電力線を介した前記陸上監視システムへの送信のために前記第１の入出力ポートを介して前記第１の海底ケーブルに記憶された信号パラメータを通信することを含む、請求項１３に記載の方法。